(57)【要約】【課題】ガスタービン（１０５）によって駆動される電力発生発電プラント用の、発電プラント部品を冷却するための発電プラント統合型冷却システムを提供する。【解決手段】本統合型冷却システムは、発電プラントから抽出された熱源（１５８）と、熱源（１５８）からのエネルギを利用して冷却媒体（１７０）を冷却する吸収式冷却機（１６０）とを含む。統合型冷却スキッドは、複数の発電プラント部品用熱除去装置（１１０、１１５、１２０、１２５、１４０）を含む。吸収式冷却機（１６０）から出力された冷却媒体（１７０）は、統合型冷却スキッド（１５０）の発電プラント部品用熱除去装置（１１０、１１５、１２０、１２５、１４０）に循環される。プラント冷却水（１４５）は、吸収式冷却機（１６０）から熱を除去することができる。【選択図】      図２
2008185031.tif 000002
【特許請求の範囲】
【請求項１】
ガスタービン（１０５）によって駆動される電力発生発電プラント用の、発電プラント部品を冷却するための発電プラント統合型冷却システムであって、
発電プラントから抽出された熱源（１５８）と、
熱源（１５８）からのエネルギを利用して冷却媒体（１７０）を冷却する吸収式冷却機（１６０）と、
吸収式冷却機（１６０）から熱を除去するための手段（１４５）と、
複数の発電プラント部品用熱除去装置（１１０、１１５、１２０、１２５、１４０）を含む統合型冷却スキッド（１５０）と、
吸収式冷却機（１６０）から出力された冷却媒体（１７０）を統合型冷却スキッド（１５０）の発電プラント部品用熱除去装置（１１０、１１５、１２０、１２５、１４０）に循環させるための手段と、
を含む統合型冷却システム。
【請求項２】
ガスタービン（１０５）によって駆動される電力発生発電プラント用の、発電プラント部品を冷却するための発電プラント統合型冷却システムであって、熱源が、
ガスタービン圧縮機１５５の少なくとも１つの中間段からの高温加圧空気１５８のための抽出流路と、
ガスタービン圧縮機１５５の後続段への冷却した高温加圧空気１６５のための戻り流路と
を含む、請求項１記載の統合型冷却システム。
【請求項３】
ガスタービン（１０５）によって駆動される電力発生発電プラント用の、発電プラント部品を冷却するための発電プラント統合型冷却システムであって、統合型冷却スキッドの発電プラント部品用熱除去装置が、
潤滑油冷却熱交換器（１１０）と、
発電機冷却熱交換器（１２０）と、
変圧器冷却熱交換器（１１５）と、
タービン入口熱交換器（１２５）と、
他の発電プラント部品（１４０）のための熱交換器と
のうちの少なくとも１つを含む、請求項２記載の統合型冷却システム。
【請求項４】
ガスタービン（１０５）によって駆動される電力発生発電プラント用の、発電プラント部品を冷却するための発電プラント統合型冷却システムであって、統合型冷却スキッドの発電プラント部品用熱除去装置が、
潤滑油冷却熱交換器（１１０）と、
発電機冷却熱交換器（１２０）と、
変圧器冷却熱交換器（１１５）と、
タービン入口熱交換器（１２５）と、
他の発電プラント部品（１４０）のための熱交換器と
を含む、請求項２記載の統合型冷却システム。
【請求項５】
ガスタービン（１０５）によって駆動される電力発生発電プラント用の、発電プラント部品を冷却するための発電プラント統合型冷却システムであって、冷却媒体が、
冷水（１７０）を含む、
請求項３記載の統合型冷却システム。
【請求項６】
ガスタービン（１０５）によって駆動される電力発生発電プラント用の、発電プラント部品を冷却するための発電プラント統合型冷却システムであって、吸収式冷却機から熱を除去するための手段（１４５）が、吸収式冷却機（１６０）のための冷却水源及びシンク（１４５）を含む、請求項５記載の統合型冷却システム。
【請求項７】
ガスタービン（１０５）によって駆動される電力発生発電プラント用の、発電プラント部品を冷却するための発電プラント統合型冷却システムであって、ガスタービン圧縮機（１５５）の少なくとも１つの中間段からの高温加圧空気（１５８）のための抽出流路及び高温加圧空気（１６５）のための戻り流路が、ガスタービン圧縮機（１５５）と吸収式冷却機（１６０）との間の直接的な連通流路を含む、請求項３記載の統合型冷却システム。
【請求項８】
ガスタービン（１０５）によって駆動される電力発生発電プラント用の、発電プラント部品を冷却するための発電プラント統合型冷却システムであって、第１の中間冷却器（２７５）をさらに含む、請求項３記載の統合型冷却システム。
【請求項９】
ガスタービン（１０５）によって駆動される電力発生発電プラント用の、発電プラント部品を冷却するための発電プラント統合型冷却システムであって、
ガスタービン圧縮機（２５５）の少なくとも１つの中間段からの高温加圧空気（２５８）のための抽出流路が、吸収式冷却機（２６０）と直接連通し、
高温加圧空気（２８０）のための戻り流路が、第１の中間冷却器（２７５）を通して空気圧縮機（２５５）の後続段と連通し、
高温加圧空気（２５８）が、吸収式冷却機（２６０）において冷却されかつ第１の中間冷却器（２７５）においてさらに冷却され、
プラント統合型冷却スキッド（２５０）から吸収式冷却機（２６０）に戻る冷却媒体（２８５）が、第１の中間冷却器（２７５）を通して循環して、吸収式冷却機（２６０）から空気圧縮機（２５５）の後続段に戻る高温加圧空気（２６５）をさらに冷却する、
請求項８記載の統合型冷却システム。
【請求項１０】
ガスタービン（１０５）によって駆動される電力発生発電プラント用の、発電プラント部品を冷却するための発電プラント統合型冷却システムであって、
第１の中間冷却器（３７５）と第２の中間冷却器（３９０）とをさらに含む、
請求項３記載の統合型冷却システム。
【発明の詳細な説明】
【技術分野】
【０００１】
本発明は、発電プラント設備用の発電プラント冷却システムに関し、より具体的には、冷却媒体を発生させる複数の方法を利用して発電プラント冷却部品の統合型スキッドから熱を除去する発電プラント統合型冷却システムに関する。発電プラントの典型的な冷却要件には、発電機冷却、潤滑油冷却、変圧器冷却、タービン入口冷却、タービン入口空気冷却及び中間冷却器冷却、並びに他の多様な部品の冷却が含まれる。
【背景技術】
【０００２】
発電機、潤滑油システム及び変圧器のような多くの発電プラント部品は、非効率性（風損、軸受及び電気加熱等）によって発生した熱を除去するために冷却することが必要であるが、付加的な冷却機能は、例えばタービン入口空気冷却、圧縮機入口空気冷却又は圧縮機中間冷却のようなプラント性能に直接影響を与える。これらの部品用の個々の冷却装置は一般的に、空冷式又は水冷式熱交換器を利用する。現在の構成における発電機冷却は、常温で供給される水又は空気によって行われる。潤滑油システムは通常、大型の空冷式熱交換器を利用する。圧縮機中間冷却器は、常温の水を利用する。変圧器油は、空冷式熱交換器を使用して、熱を大気に廃棄することによって冷却される。
【０００３】
独立型冷却スキッドが、しばしば、上述の冷却を行うために利用される。普通の冷却システムから設備に冷却剤が供給される場合でさえ、設備及び冷却器は、最も高温の周囲条件に合わせた寸法にされる。この高温冷却流体（常温の空気及び水）により、熱交換器はより大きい面積を持つことになり、発電プラント全体効率及び費用に悪影響を与える。
【０００４】
一般に、発電プラント部品に対して冷却を行うために、幾つかの手段が採用される。これらの方法は、個々の制御システムを備えた独立型冷却スキッドである。図１は、先行技術の発電プラント冷却システムにおいて冷却を行うために使用する独立型冷却スキッドを示している。発電プラントシステム５は、空気圧縮機１０と、ガスタービン１５と、発電機２０と、変圧器２５とを含むことができ、変圧器２５は、送電網システム３０に電力を供給するために発電機２０に連結される。ガスタービンには、参照符号１６において燃料が供給され、また参照符号１７において加圧空気が供給される。排出ガスは、参照符号１８においてガスタービンから流出する。
【０００５】
周囲空気３５は、タービン入口冷却スキッド４０を通して冷却され、空気圧縮機入口４５において供給される。高温加圧空気５０は、空気圧縮機１０の中間段５２から抽出され、圧縮機中間冷却スキッド５５を通して流される。冷却した空気５６は、空気圧縮機１０の後続中間段５８に戻される。圧縮機１０、ガスタービン１５及び発電機２０からの潤滑油は、潤滑油冷却スキッド６０によって冷却される。熱は、冷却スキッド６０上で、常温６５の空気を使用して空冷式熱交換器によって潤滑油から除去される。発電機冷却水２２は、周囲空気２４を吸引する空冷式熱交換器を利用した別個の冷却スキッド２３を通って循環する。変圧器２５の冷却は一般的に、別個の変圧器冷却スキッド２８上に取付けられた周囲空気２７を使用する空冷式熱交換器を通って流れる変圧器油２６によって行われる。タービン入口冷却は、独立型機械式圧縮機（図示せず）によって供給された冷水を使用して行うことができる。幾つかの場合では、スキッドは、普通水（冷水ではない）との部分的統合型システムとすることができる。
【０００６】
発電プラントの決定においては常に当てはまることであるが、部品システムの各々に対する冷却要件は、サイト特有の周囲及び作動条件、各競合システムから得られる性能、並びに実装及び作動に必要な費用の関数である。
【特許文献１】米国特許出願公開第２００５／０１８８７０７号明細書
【特許文献２】米国特許出願公開第２００５／００５６０２３号明細書
【特許文献３】米国特許第６９３８４１７号明細書
【特許文献４】米国特許第６９０９３４９号明細書
【特許文献５】欧州特許出願公開第１４８４４８９号明細書
【発明の開示】
【発明が解決しようとする課題】
【０００７】
従って、冷却が必要な全ての発電プラント設備のための冷水を供給する吸収式又は機械式冷却機を利用する発電プラント独立型冷却スキッドを１つの単一冷却システムに統合し、その場合に制御低温冷却流体（冷水）が、大幅な節約をもたらし、プラント操作を単純化しかつ冷却媒体の信頼性がある供給源を形成することになる、別の費用効率がある方法を提供する必要性が存在する。
【０００８】
本発明は、発電プラント冷却要件を満たす冷却した冷却媒体を発生させる複数の方法を利用した発電プラント統合型冷却システムに関し、その場合にプラント部品は、有効かつ効率的な冷却パッケージに統合される。
【課題を解決するための手段】
【０００９】
つまり、本発明の１つの態様は、ガスタービンによって駆動される電力発生発電プラント用の、発電プラント部品を冷却するための発電プラント統合型冷却システムを提供する。本統合型冷却システムは、発電プラントから抽出された熱源と、熱源からのエネルギを利用して冷却媒体を冷却する吸収式冷却機とを含む。さらに設けられるのは、吸収式冷却機から熱を除去するための手段である。統合型冷却スキッドは、複数の発電プラント部品用熱除去装置を含む。吸収式冷却機から出力された冷却媒体を統合型冷却スキッドの発電プラント部品用熱除去装置に循環させかつ再び戻すための手段が設けられる。
【００１０】
本発明の別の態様によると、ガスタービンによって駆動される電力発生発電プラント用の、発電プラント部品を冷却するための発電プラント統合型冷却システムを提供する。本統合型冷却システムは、エネルギ源を形成するガスタービンからの排気ガス流路と、タービン排気からのエネルギを利用して冷却媒体を冷却する吸収式冷却機とを含む。吸収式冷却機から熱を除去するための手段及び吸収式冷却機から排気ガスを除去するための手段が設けられる。統合型冷却スキッドは、複数の発電プラント部品用熱除去装置を含む。
【００１１】
本発明のさらに別の態様によると、ガスタービンによって駆動される電力発生発電プラント用の、発電プラント部品を冷却するための発電プラント統合型冷却システムを提供する。本統合型冷却システムは、空気圧縮機を有するガスタービンと、ガスタービンによって駆動されかつ電力供給を出力する発電機と、電力供給により給電される機械式冷却機と、機械式冷却機から熱を除去するための手段と、機械式冷却機から出力された冷却媒体を統合型冷却スキッドの発電プラント部品に循環させかつ再び戻すための手段と、複数の発電プラント部品用熱除去装置を含む統合型冷却スキッドとを含む。
【００１２】
本発明のこれらの及び他の特徴、態様及び利点は、図面全体を通して同じ参照符号が同様の部分を表している添付の図面を参照して、以下の詳細な説明を読む時に一層良好に理解されるようになるであろう。
【発明を実施するための最良の形態】
【００１３】
本発明の以下の実施形態は、冷却が必要な全ての発電プラント設備のための冷却媒体を供給する吸収式又は機械式冷却機を利用する発電プラント独立型冷却スキッドを１つの単一冷却システムに統合し、その場合に制御低温冷却媒体が、大幅な節約をもたらし、プラント操作を単純化しかつ冷却媒体の信頼性がある供給源を形成することになる費用効率がある方法を提供することを含む、多くの利点を有する。
【００１４】
以下の態様は、現存の発電プラントの改造及び新規の発電プラントの建設の両方を対象としたものである。
【００１５】
単純及び複合サイクル用途のための以下の例示的なシステム構成は、プラント統合型冷却装置に冷却した流体を供給するために、市場購入可能な吸収式液体冷却機（ＡＬＣ）を使用する。これは、図２〜図７に示すような複数の構成及び方法で達成することができる。それに代えて、図８に示すように、機械式冷却機を利用して、プラント統合型冷却システムを冷却することができる。
【００１６】
ガスタービン圧縮機は、図１〜図７において符号Ａ〜Ｊで示すような複数の圧縮段を有する。圧縮機からの高温空気は、原理上は圧縮機を再設計することによって中間段のいずれからも抽出することができる。圧縮機から抽出する空気流量及び空気抽出段の選択は、発電プラント設備、サイクル熱力学及び装置経済性の冷却要件の関数となることになる。図２〜図７の例示的目的では、抽気は、中間段Ｄから抽出されかつ中間段Ｅに戻るものとして示しているが、抽出及び回収は、これらの段に限定されるものではない。
【００１７】
以下の例示的な実施形態は、冷却機と、熱除去装置、すなわち通常はスキッド上の熱交換器との間でガス及び流体を循環させることによって、種々の発電プラント部品を冷却するようになった統合型冷却スキッドを示している。これらは、種々の熱交換器、ポンプ、バルブ、配管及び電気制御装置を含むことができるが、熱交換器、配管及びダクト配置の詳細については、当技術分野では公知であり、本発明を理解し難くすることを避けるために、より詳しくは説明しない。
【００１８】
さらに、以下の例示的な実施形態は、ＧＥ製ガスタービンに関する構成について説明しているが、本発明は一般的に、ガスタービンの部品及びシステムに対して適用することができる。
【００１９】
図２は、空気圧縮機からの高温中間段空気によって動力を供給されかつ発電プラント部品用統合型冷却スキッドに供給する吸収式冷却機を設けた本発明の１つの実施形態を示している。この統合型冷却スキッドは、潤滑油冷却熱交換器１１０、変圧器冷却熱交換器１１５、発電機冷却熱交換器１２０、タービン入口冷却熱交換器１２５、冷却を必要とする多様な発電プラント部品１４０のための他の熱交換器を、スキッド１５０上に支持した１つのシステムに合体することができる。吸収式冷却機１６０は、この統合型システムのために冷水必要量を供給する。吸収式冷却機１６０のための熱源は、高温加圧空気１５８であり、この高温加圧空気１５８は、圧縮機１５５の中間段Ｄからの抽出によって供給される。吸収式冷却機からの比較的低温の空気１６５は、圧縮機１５５の後続中間段Ｅ内にダクトで戻される。当技術分野では公知の機械的システムを使用して、冷水１７０は、統合型冷却スキッド１５０に循環され、戻り水１８５は、吸収式冷却機１６０に戻る。プラントからの冷却水１４５は、吸収式冷却機１６０からの熱のためのシンクを形成する。
【００２０】
図３は、空気圧縮機からの高温加圧中間段空気によって動力を供給される吸収式冷却機と、発電プラント部品用統合型冷却スキッドに供給する第１の中間冷却器とを設けた本発明の第２の実施形態を示している。この統合型冷却スキッド２５０は、潤滑油冷却熱交換器２１０、変圧器冷却熱交換器２１５、発電機冷却熱交換器２２０、タービン入口冷却熱交換器２２５、及び冷却を必要とする多様な発電プラント部品２４０のための他の熱交換器を含むことができる。
【００２１】
高温加圧空気２５８は、冷却媒体のＡＬＣ冷却のための加熱流体を供給するために、圧縮機２５５の中間段Ｄから抽出され、吸収式冷却機２６０にダクトで導かれる。冷却媒体、すなわち冷水２７０は、統合型冷却スキッド２５０に循環される。吸収式冷却機２６０からの戻り低温空気２６５は、低温戻り空気２８０の温度をさらに低下させる第１の中間冷却器２７５を通して圧縮機２５５の中間段Ｅにダクトで導かれ、それによって圧縮機動力消費量を減少させる。第１の中間冷却器に供給される冷却媒体２７０は、プラント統合型冷却スキッド２５０への冷水２７０からの戻り水２８５である。中間冷却器内で熱を吸収した後に、温水２９０は、吸収式冷却機２６０に戻る。冷却水２４５及び冷却水２４７は、それぞれ吸収式冷却機２６５及び第１の中間冷却器２７５のためのヒートシンクを形成することができる。
【００２２】
実施形態２の範囲内のさらに別の実施形態は、他の発電プラント設備の高い冷却要件のために吸収式冷却機に対する要求が高い場合に、冷却水供給２４７によって中間冷却を行うことができるものである。
【００２３】
図４は、空気圧縮機からの高温中間段空気によって動力を供給される吸収式冷却機と、発電プラント設備用統合型冷却スキッドに供給する第１の中間冷却器及び第２の中間冷却器とを設けた本発明の第３の実施形態を示している。統合型冷却スキッド３５０は、潤滑油冷却熱交換器３１０、変圧器冷却熱交換器３１５、発電機冷却熱交換器３２０、タービン入口冷却熱交換器３２５、及び冷却を必要とする多様な発電プラント部品３４０のための他の熱交換器を含むことができる。
【００２４】
実施形態３は、圧縮機３５５の中間段Ｄからの高温加圧空気３５８が、第１の中間冷却器３７５を通してダクトで導かれる構成を示している。第１の中間冷却器３７５は、吸収式冷却機３６０のための加熱流体として使用する高温の温水３６２を発生するように設計されている。吸収式冷却機３６０からの戻り水３６４は、第１の中間冷却器３７５における冷却を与える。
【００２５】
吸収式冷却機３６０は次に、発電プラント部品を冷却するために統合型冷却スキッド３５０に冷水３７０を供給する。熱は、冷却水３４５によって吸収式冷却機３６０から除去することができる。第１の中間冷却器３７５をから流出する中間温度の高温空気３５９は、更なる冷却のために第２の中間冷却器３９０を通って流れる。第２の中間冷却器３９０は、吸収式冷却機３６０への戻り回路上において統合型冷却スキッド３５０からの戻り水供給３８５によって冷却される。低温戻り空気３８０は、さらに圧縮機３５５の中間段Ｅにダクトで導かれ、それによって圧縮機動力消費量を減少させる。それに代えて、吸収式冷却機に対する要求が高い場合には、第２の中間冷却器３９０に常温冷却水３４９を供給することができる。
【００２６】
図５は、ガスタービン排気によって動力を供給されかつ発電プラント部品用統合型冷却スキッドに供給する吸収式冷却機を設けた本発明の第４の実施形態を示している。実施形態４は、統合型冷却スキッド４５０を組込んだ発電プラント完全統合型冷却装置を示しており、統合型冷却スキッド４５０は、潤滑油冷却熱交換器４１０、変圧器冷却熱交換器４１５、発電機冷却熱交換器４２０、タービン入口冷却熱交換器４２５、圧縮機中間冷却器４３０、及び冷却を必要とする多様な発電プラント部品４４０のための他の熱交換器を含むことができる。
【００２７】
この構成は、タービン排気の一部を吸収式冷却機にダクトで導くことができる単純サイクル及び複合サイクルにおいて使用することができる。この例示的な実施形態では、吸収式冷却機４６０は、ガスタービン４０５からダクトで導かれた排気ガス４１８の幾らかのパーセンテージからのエネルギを利用する。吸収式冷却機は次に、この実施形態では戻り水４８５として示す冷却媒体から熱を除去して冷水４７０を供給して、統合型冷却スキッド４５０の冷却要件を満たすようにする。冷却水４４５は、吸収式冷却機４６０から熱を除去することができる。
【００２８】
図示していないが、圧縮機中間冷却器４４０は、圧縮機４５５の中間段Ｄからダクトで導かれた高温加圧空気を受けることができる。圧縮機中間冷却器４４０において冷却された高温加圧空気は、圧縮機４５５の後続段Ｅに戻され、それによってより低い圧縮機動力消費量の低下をもたらす。タービン４０５から取出されかつ吸収式冷却機４６０に動力を供給するのにそのエネルギを利用された排気ガス４１８は、排気ガス４７０として放出される。
【００２９】
図６は、熱回収蒸気発生器（ＨＲＳＧ）を通して捕捉されたガスタービン排気のエネルギと蒸気タービンから抽出されたエネルギとによって動力を供給されかつ発電プラント部品用統合型冷却スキッドに供給する吸収式冷却機を設けた本発明の第５の実施形態を示している。実施形態５は、実施形態４の修正形態を示している。ここでも同様に、統合型冷却スキッド５５０は、吸収式冷却機５６０によって供給された冷水５７０を利用する、潤滑油冷却熱交換器５１０、変圧器冷却熱交換器５１５、発電機冷却熱交換器５２０、タービン入口冷却熱交換器５２５、圧縮機中間冷却器５３０、及び冷却を必要とする多様な発電プラント部品５４０のための他の熱交換器として働くことができる。統合型冷却スキッド５５０からの戻り水５８５は、吸収式冷却機５６０に戻される。熱は、冷却水５４５によって吸収式冷却機から除去することができる。
【００３０】
吸収式冷却機５６０のためのエネルギは、タービン５０５から熱回収蒸気発生器５６５への排気ガス５１８によって、熱回収蒸気発生器５６５が複合サイクル発電プラントの一部としての蒸気タービン５７５に蒸気５６８を給送することによって得られる。低量の抽出蒸気５９０が、吸収式冷却機５６０に動力を供給するために蒸気タービン５７５から抽出される。蒸気タービン５７５からの排出蒸気５９８及び吸収式冷却機５６０からの復水５９５は、蒸気サイクルに戻される。
【００３１】
図７は、熱回収蒸気発生器（ＨＲＳＧ）５６５を通して捕捉されたようなガスタービン排気５１８のエネルギによって動力を提供されかつ発電プラント設備用統合型冷却スキッドに供給する吸収式冷却機を設けた本発明の第６の実施形態を示している。ＨＲＳＧ５６５からの蒸気５６８は、吸収式冷却機にエネルギを供給し、さらに他のプラント機能のためにも使用することができる。ここでも同様に、統合型冷却スキッド５５０は、潤滑油冷却熱交換器５１０、変圧器冷却熱交換器５１５、発電機冷却熱交換器５２０、タービン入口冷却熱交換器５２５、圧縮機中間冷却器５３０、及び冷却を必要とする多様な発電プラント部品５４０のための他の熱交換器として働く。統合型冷却スキッド５５０は、吸収式冷却機５６０によって供給された冷水５７０を利用して熱除去装置を冷却する。戻り水５８５は、吸収式冷却機５６０に循環して戻る。冷却水５４５は、吸収式冷却機５６０から熱を除去することができる。
【００３２】
エネルギは、タービン５０５から熱回収蒸気発生器５６５への排気ガス５６５によって、熱回収蒸気発生器５６５が吸収式冷却機５６０に動力を供給する蒸気５６８を給送することによって供給される。吸収式冷却機５６０からの蒸気復水５９５は、蒸気サイクルに戻される。
【００３３】
図８は、気体圧縮機械式冷却機がプラント統合型冷却スキッドのための冷却要件を行う本発明の第７の実施形態を示している。統合型冷却スキッド６５０は、潤滑油冷却熱交換器６１０、変圧器冷却熱交換器６１５、発電機冷却熱交換器６２０、タービン入口冷却熱交換器６２５、圧縮機中間冷却器６３０、及び冷却を必要とする多様な発電プラント部品６４０のための他の熱交換器として働く。
【００３４】
タービン６０５は、発電機６３０を駆動して、電気出力６９５を形成する。電気出力６９５は、機械式冷却機６６０を駆動するための電力を供給することができる。機械式冷却機６６０は、統合型冷却スキッド６５０に冷水６７０を供給する。冷却水６４５は、機械式冷却機６６０から熱を除去する。それに代えて、機械式冷却機６６０は、発電プラントを有する別の電力源から又は外部電力源から供給することができる。
【００３５】
本明細書では本発明の特定の特徴のみを図示しかつ説明してきたが、当業者には多くの修正及び変更が想起されるであろう。従って、特許請求の範囲は、全てのそのような修正及び変更を本発明の技術思想の範囲内に属するものとして保護しようとするものであることを理解されたい。
【図面の簡単な説明】
【００３６】
【図１】先行技術の発電プラント冷却システムにおいて冷却を行うために使用する独立型冷却スキッドを示す図。
【図２】空気圧縮機からの高温中間段空気によって動力を供給されかつ発電プラント部品用統合型冷却スキッドに供給する吸収式冷却機を設けた本発明の１つの実施形態を示す図。
【図３】空気圧縮機からの高温中間段空気によって動力を供給される吸収式冷却機と、発電プラント部品用統合型冷却スキッドに供給する第１の中間冷却器とを設けた本発明の第２の実施形態を示す図。
【図４】空気圧縮機からの高温中間段空気によって動力を供給される吸収式冷却機と、発電プラント部品用統合型冷却スキッドに供給する第１の中間冷却器及び第２の中間冷却器とを設けた本発明の第３の実施形態を示す図。
【図５】ガスタービン排気によって動力を供給されかつ発電プラント部品用統合型冷却スキッドに供給する吸収式冷却機を設けた本発明の第４の実施形態を示す図。
【図６】熱回収蒸気発生器を通して捕捉されたガスタービン排気のエネルギと蒸気タービンから抽出されたエネルギとによって動力を供給されかつ発電プラント部品用統合型冷却スキッドに供給する吸収式冷却機を設けた本発明の第５の実施形態を示す図。
【図７】熱回収蒸気発生器（ＨＲＳＧ）を通して捕捉されたようなガスタービン排気のエネルギによって動力を提供されかつ発電プラント部品用統合型冷却スキッドに供給する吸収式冷却機を設けた本発明の第６の実施形態を示す図。
【図８】ガスタービン駆動発電機又は他の電力供給源からの電気出力によって動力を提供されかつかつ発電プラント部品用統合型冷却スキッドに供給する機械式冷却機を設けた本発明の第７の実施形態を示す図。
【符号の説明】
【００３７】
５  発電プラントシステム
１０  空気圧縮機
１５  ガスタービン
１６  ガスタービンへの燃料供給
１７  ガスタービンへの空気供給
１８  タービン排気
２０  発電機
２２  発電機冷却水
２３  発電機冷却スキッド
２４  周囲空気
２５  変圧器
２６  変圧器油
２７  周囲空気
２８  変圧器冷却スキッド
３０  送電網システム
３５  周囲空気
４０  圧縮機入口冷却スキッド
４５  空気圧縮機入口
５０  高温加圧空気
５２  冷却水
５５  圧縮機中間冷却スキッド
５６  圧縮機中間段への低温空気戻り
５７  冷却水
５８  後続中間段
６０  潤滑油冷却スキッド
６５  周囲空気
１０５  ガスタービン
１１０  潤滑油冷却熱交換器
１１５  変圧器冷却熱交換器
１２０  発電機冷却熱交換器
１２５  タービン入口冷却熱交換器
１４０  他の発電プラント部品
１４５  冷却水
１５０  統合型冷却スキッド
１５５  空気圧縮機
１５８  高温加圧空気
１６０  吸収式冷却機
１６５  空気圧縮機の後続段に戻る低温空気
１７０  冷水
１８５  戻り水
２０５  ガスタービン
２１０  潤滑油冷却熱交換器
２１５  変圧器冷却熱交換器
２２０  発電機冷却熱交換器
２２５  タービン入口冷却熱交換器
２４０  他の発電プラント部品
２４５  吸収式冷却機への冷却水
２４７  第１の中間冷却器への冷却水
２５０  統合型冷却スキッド
２５５  空気圧縮機
２５８  高温加圧空気
２６０  吸収式冷却機
２６５  吸収式冷却機から第１の中間冷却器への低温空気
２７０  冷水
２７５  第１の中間冷却器
２８０  圧縮機の後続段への低温空気戻り
２８５  戻り水
２９０  吸収式冷却機に戻る温水
３０５  ガスタービン
３１０  潤滑油冷却熱交換器
３１５  変圧器冷却熱交換器
３２０  発電機冷却熱交換器
３２５  タービン入口冷却熱交換器
３４０  他の発電プラント部品
３４９  第２の中間冷却器のための冷却水
３５５  空気圧縮機
３５８  高温加圧空気
３５９  第２の中間冷却器への媒体高温空気
３６０  吸収式冷却機
３６２  吸収式冷却機への温水
３６４  吸収式冷却機からの加熱媒体の戻り
３７０  冷水
３７５  第１の中間冷却器
３８０  圧縮機の後続段への低温空気戻り
３８５  戻り水
３９０  第２の中間冷却器
４０５  ガスタービン
４１０  潤滑油冷却熱交換器
４１５  変圧器冷却熱交換器
４１８  排気ガス
４２０  発電機冷却熱交換器
４２５  他の発電プラント部品
４３０  発電機
４３５  圧縮機入口冷却熱交換器
４４０  圧縮機中間冷却器
４４５  吸収式冷却機のための冷却水
４５０  統合型冷却スキッド
４５５  空気圧縮機
４５８  圧縮機中間段からの高温加圧ガス
４６０  吸収式冷却機
４７０  吸収式冷却機から放出された排気ガス
４８０  圧縮機の後続中間段に戻された低温空気
４８５  統合型冷却スキッドからの戻り水
５０５  ガスタービン
５１０  潤滑油冷却熱交換器
５１５  変圧器冷却熱交換器
５１８  タービン出口からの排気ガス
５２０  発電機冷却熱交換器
５２５  他の発電プラント部品
５３０  発電機
５３５  圧縮機入口冷却交換器
５４０  圧縮機中間冷却器
５４５  冷却水
５４８  高温加圧空気
５５０  統合型冷却スキッド
５５５  空気圧縮機
５５８  高温加圧空気
５６０  吸収式冷却機
５６５  熱回収蒸気発生器
５６８  蒸気
５７０  冷水
５７５  蒸気タービン
５８０  圧縮機の後続中間段に戻された低温空気
５８５  統合型冷却スキッドからの戻り水
５９０  抽出蒸気
５９５  吸収式冷却機から復水器への復水
５９８  蒸気タービンから復水器への復水
６０５  ガスタービン
６１０  潤滑油冷却熱交換器
６１５  変圧器冷却熱交換器
６１８  タービン出口からの排気ガス
６２０  発電機冷却熱交換器
６２５  他の発電プラント部品
６３０  発電機
６３５  圧縮機入口冷却交換器
６４０  圧縮機中間冷却器
６４５  冷却水
６４８  高温加圧空気
６５０  統合型冷却スキッド
６５５  空気圧縮機
６６０  機械式冷却機
６６５  機械式冷却機への電力供給
６７０  冷水
６８５  戻り水
【図１】
2008185031.tif 000003
【図２】
2008185031.tif 000004
【図３】
2008185031.tif 000005
【図４】
2008185031.tif 000006
【図５】
2008185031.tif 000007
【図６】
2008185031.tif 000008
【図７】
2008185031.tif 000009
【図８】
2008185031.tif 000010